(57)【特許請求の範囲】
【請求項１】
絶縁性の供給インサート（１３，１４）内の電気的なコンタクト（２０’，２１’）であって、電気伝導性のプラグハウジング（１，３）とのねじ止め可能な結合部が設けられており、供給インサート（１３，１４）が、隣接して配置された複数のスリーブ（１５，１５’）を備えており、電気的なコンタクト（２０’，２１’）が、ピン（２０，２０’）又はソケット（２１，２１’）の形で形成されていて、かつ前記スリーブ（１５，１５’）にそれぞれ配置されており、電気的なコンタクト（２０’，２１’）が、差込み領域（２２）と接続領域（２３）とを有している形式のものにおいて、電気的なコンタクト（２０’，２１’）が、差込み領域（２２）と接続領域（２３）との間に厚肉部（２４）を備えており、該厚肉部（２４）に、孔（２６）が設けられており、電気伝導性のプラグハウジング（１，３）が、開口（５）と該開口（５）の周りに設けられた段部（４）とを備えており、電気的なコンタクト（２０’，２１’）の肉厚部（２４）とプラグハウジング（１，３）の段部（４）との間の直の電気的なコンタクトも、プラグハウジング（１，３）との電気的なコンタクト（２０’，２１’）のねじ固定も実現されるようになっていることを特徴とする、電気的なコンタクト（２０’，２１’）。
【請求項２】
供給インサート（１３，１４）に係止アーム（１６）が一体成形されている、請求項１記載の電気的なコンタクト。
【請求項３】
電気的なコンタクト（２０’，２１’）に設けられた厚肉部（２４）が、中央のスリーブ（１５’）内に設けられた開口（１７）により、プラグハウジング（１，３）に電気的にコンタクトされるようになっている、請求項１記載の電気的なコンタクト。
【請求項４】
供給インサート（１３）が、前記開口（１７）をカバーするウェブ（１８）を有している、請求項３記載の電気的なコンタクト。
【発明の詳細な説明】
【技術分野】
【０００１】
本発明は、複数のスリーブを有する絶縁性のハウジング内の電気的なコンタクトであって、電気伝導性のハウジングにねじ止め可能な結合部が設けられている形式のものに関する。
【０００２】
このような電気的なコンタクトは、ＰＥ又は保護導体を電気伝導性の金属ハウジングにコンタクトするために必要とされる。
【背景技術】
【０００３】
差込みコネクタの絶縁性のプラグインサート内に挿入されるようになっている電気的なコンタクトは、通常は差込み領域と接続領域とを有しており、この接続領域はねじ接続部、はんだ付け接続部又は圧着接続部の形で形成されている。
【０００４】
しかしながら、このようなコンタクトは、例えば作業電圧が２３０Ｖの場合に必要なように、電源の接地点との電気的な接続を形成するために「ＰＥコンタクト」が必要とされる場合には使用することができない。ＰＥコンタクトは、危険な人体電流に対する保護手段のために必要である。
【発明の開示】
【発明が解決しようとする課題】
【０００５】
そこで本発明の課題は、冒頭で述べた形式の電気的なコンタクトを改良して、電気的な導体を接続するための差込み領域及び圧着領域のほかに、包囲する電気伝導性のハウジングとの確実な結合も得られるものを提供することである。
【課題を解決するための手段】
【０００６】
この課題を解決した本発明の手段によれば、ピン又はソケットの形で形成された電気的なコンタクトが差込み領域と接続領域とを有しており、この場合にこれらの差込み領域と接続領域とが厚肉部により互いに分離されている。
【発明の効果】
【０００７】
本発明により得られる利点は特に次のことにある。すなわち、いわゆるＰＥケーブルが圧着されている本発明による電気的なコンタクトにより、金属のハウジングとの直接の電気的なコンタクトが得られる。このようなＰＥケーブルは、危険な人体電流に対する保護手段のために電源の接地点との電気的な接続を形成するため必要である。
【０００８】
この場合、圧着接続部を有している公知のピン又はソケットコンタクトに付加的な厚肉部が設けられており、この厚肉部内にはねじ山付きの孔が設けられている。このコンタクトは別のコンタクトと共に、複数のスリーブを有する電気的に絶縁性の供給インサート内に位置決めされている。この供給インサートは、有利にはデータ差込みモジュールと一緒に金属のプラグハウジング内に配置されている。
【０００９】
この場合に電流／電圧供給のための供給インサート及び信号電圧を伝達するためのデータ差込みモジュールが設けられている。この場合には、ねじ山付き孔を介してそれぞれのプラグハウジングを貫通案内されたねじ固定部による電気的なコンタクトが、前記厚肉部と、プラグハウジングのハウジング内部に設けられた、ねじ固定部のための開口を取り囲む隆起部との間の直接のコンタクトを可能にすることは有利である。さらに供給インサートには有利には係止手段が設けられており、この係止手段は、同様にプラグハウジング内に格納したいデータモジュールとの簡単な結合を可能にする。
【００１０】
両方の供給インサートの不都合な差込みエラーに対しては、少なくとも１つの互いに差込み可能なスリーブ対に対応した分極手段が設けられている。
【発明を実施するための最良の形態】
【００１１】
図１には、ねじ嵌め可能なフランジを備えたプラグハウジング１が示されている。このハウジング１内にはプラグセットが挿入可能である。このプラグセットは、ソケットの形で構成された「ＲＪ−４５データ差込みモジュール９」と供給インサート１３とから形成されている。さらにＵ字形ロック部材２が設けられており、このＵ字形ロック部材により対向プラグ３が固定可能である。
【００１２】
供給インサート１３は、電気的に絶縁性のハウジングから形成されている。このハウジングは互いに隣接して配置されていて互いに結合された３つのスリーブ１５，１５’から成っており、これらのスリーブ１５，１５’内へはソケットコンタクトの形で構成されたそれぞれ１つの電気的なコンタクト２１，２１’が挿入可能である。これらのコンタクトは、慣例のように遮断円錐部（ここには図示しない）によりスリーブの内部で固定される。
【００１３】
ここではＰＥコンタクトとして示した中央の電気的なコンタクト２１’が、差込み領域２２と圧着領域２３との間に厚肉部２４が配置されているという特殊性を有している。この厚肉部２４内には孔２６が設けられており、この孔２６はねじ山を有している。厚肉部２４の形状付与は可能な範囲内で任意に行うことができ、これにより、例えばスリーブの内部ではコンタクトの誤りのない、又は分極する配置が確保される。さらにＰＥコンタクトを収容する中央のスリーブ１５’が肉厚部２４に合致する開口１７を有している。
【００１４】
供給インサート１３は、それぞれ外側のスリーブ１５に配置された２つの係止アーム１６を有しており、これらの係止アーム１６の内部にはＲＪ−４５データ差込みモジュール９が挿入又は係止可能である。異なった両方のプラグユニットの組付け後には、これらのプラグユニットはプラグハウジング１内に押し込むことができる。
【００１５】
ねじ７により、両方のプラグユニットの固定が行われる。このねじ７はプラグハウジング１の外部から、プラグハウジング１内に設けられた開口５を通過して中央のコンタクト２１’の肉厚部２４に設けられたねじ山付きの孔２６内へねじ込まれる。中央のコンタクト２１’は「ＰＥ導体」を収容するので、ＰＥコンタクト２１’と金属のプラグハウジング１との間の面（この面にはこのために対応して形成された高められた段部４が設けられている）を介して、確実で直接的な電気的コンタクトが保証されている。
【００１６】
図２は、フランジを設けられた図１のプラグハウジング１に対応した対向プラグを示している。この対向プラグには、プラグの形で形成されたＲＪ−４５データ差込みモジュール１１及び供給インサート１４を収容するためのプラグハウジング３が設けられている。
【００１７】
この供給インサート１４内では、ピンにより形成された電気的なコンタクト２０，２０’がスリーブ１５，１５’内へ挿入されるようになっている。この場合に特殊に形成された中央のコンタクト２０’は中央のスリーブ１５’内に位置決めされている。ＲＪ−４５−データ差込みモジュール１１を収容するためには、このＲＪ−４５データ差込みモジュールの形状に対応して係止アーム１６が外側スリーブ１５に一体成形されている。
【００１８】
このピンコンタクトの中央のコンタクト２０’は、差込み領域２２及び圧着接続部２３の形で形成された接続領域のほかに厚肉部２４を有している。この厚肉部２４内には、プラグハウジング３内に供給インサート１４を固定するためのねじ山付きの孔２６が設けられている。
【００１９】
組付けのためには、データ差込みモジュール１１と供給インサート１４とが互いに係止され、一緒にプラグハウジング３内へ挿入され、ねじ７により固定される。この場合に同時にピンコンタクトの形のコンタクト２０’とプラグハウジング３との間には電気伝導性のコンタクトが確保されている。
【００２０】
図３ａは、ソケットコンタクトの形のコンタクト２１，２１’を挿入するための、互いに隣接して配列されたスリーブ１５，１５’を有する供給インサート１３を示している。中央のスリーブ１５’の細長い開口１７が、開かれた端部でウェブ１８によりカバーされており、このウェブ１８の下方には開口１７内に挿入したいソケットコンタクトの形のコンタクト２１’が押し込まれるようになっている。
【００２１】
図３ｂは、供給インサート１４の中央のスリーブ１５’の開口１７を示している。この開口１７内へは、ソケットコンタクトの形のコンタクト２１’の差込み側が厚肉部２４のストッパまでスリーブ内へ押し込まれている。スリーブ１５’内にピンコンタクト又はソケットコンタクトの形のコンタクト２０’２１’の深められた配置に基づき、プラグハウジング１，３には高められた段部４が一体成形されており、これにより、ピン又はソケットコンタクトの厚肉部２４とプラグハウジング１，３との間の直接のコンタクトが保証されている。
【図面の簡単な説明】
【００２２】
【図１】本発明による電気的なコンタクトが配置された差込みコネクタモジュール及びフランジを設けられたプラグハウジングを示す図である。
【図２】本発明による電気的なコンタクトが配置された差し込みコネクタモジュール及びプラグハウジングを示す図である。
【図３】図３ａは、ソケットコンタクトを挿入するための、互いに隣接して配列されたスリーブを有する供給インサートを示す図であり、図３ｂは、供給インサートの中央のスリーブの開口を示す図である。
【符号の説明】
【００２３】
１  プラグハウジング、  ２  Ｕ字形ロック部材、  ３  プラグハウジング、  ４  高められた段部、  ５  開口、  ７  ねじ、  ９，１１  ＲＪ−４５データ差込みモジュール、  １３，１４  供給インサート、  １５  外側のスリーブ、  １５’  中央のスリーブ  １６  係止アーム、  １７  開口、  １８  溝、  １８’  ウェブ、  １９  分極手段、  ２０，２１  コンタクト、  ２０’，２１’  コンタクト、  ２２  差込み領域、  ２３  圧着領域、  ２４  厚肉部、  ２６  孔
【図１】
0004537416.tif 000002
【図２】
0004537416.tif 000003
【図３】
0004537416.tif 000004